(57)【特許請求の範囲】
【請求項１】
測定用電源を出力する電源部と、前記測定用電源を電源電力として入力すると共に入力した制御信号を所定利得で電流増幅することにより当該測定用電源に基づいて生成した測定用電流を測定対象抵抗体に供給する電流ドライバ素子と、前記測定用電流の電流値を検出するための電流検出手段と、前記測定対象抵抗体の両端電圧を検出する電圧検出手段とを備え、前記電流検出部によって検出された前記電流値および前記電圧検出手段によって検出された前記両端電圧に基づいて前記測定対象抵抗体の抵抗値を測定する抵抗測定装置において、
前記電流検出手段によって検出された検出電流信号の歪みを検出する歪み検出部と、当該歪み検出部によって検出された前記歪みが所定量よりも低下しているときに前記測定用電源の電圧を低下させ、かつ当該検出された歪みが所定量を超えたときに前記測定用電源の電圧を上昇させる電源電圧制御手段とを備えていることを特徴とする抵抗測定装置。
【請求項２】
前記歪み検出部は、前記制御信号または当該制御信号を生成するための基準信号と前記検出電流信号とを差動増幅する差動増幅回路と、当該差動増幅回路の差動増幅信号を全波整流した全波整流信号を前記歪みとして検出する整流回路とを備えていることを特徴とする請求項１記載の抵抗測定装置。
【発明の詳細な説明】
【０００１】
【発明の属する技術分野】
本発明は、測定対象抵抗体の抵抗値を測定する抵抗測定装置に関し、詳しくは、測定対象抵抗体に大電流を供給しつつ、その抵抗値を測定可能に構成された抵抗測定装置に関するものである。
【０００２】
【従来の技術】
例えば、家庭用の洗濯機では、濡れた手で操作盤が操作されることが多いため、感電事故を防止するために、その操作盤を大地に接地する必要がある。このため、洗濯機の内部では、その操作盤と、洗濯機の筐体に取り付けた大地接地用の接地端子とが接続用導線によって接続されており、接地端子を定められた接地線に接続することによって、操作盤を大地に接地することができる。一方、製造時において接続用導線が切れかかっていると、家庭内に設置した後に完全に断線してしまうことがあり、かかる事態が生じた場合には、感電事故などを引き起こすことになる。このため、接続用導線の接続状態を検査すると共に、接続用導線が切れかかっているときには、大電流を流して焼き切ることにより接続用導線の接続不良をいち早く検出するために、この種の抵抗測定装置が用いられている。
【０００３】
このような抵抗測定装置として、出願人は、図５に示す抵抗測定装置６１を既に開発している。この抵抗測定装置６１は、例えば３０Ａ程度の測定用電流を測定対象抵抗２に供給すると共に、その際に測定対象抵抗２の抵抗値を測定することが可能に構成されている。この場合、上記した洗濯機の接続用導線の抵抗値を測定するには、操作盤と接地端子との間に測定用電流を所定時間継続して導通させた後に、その抵抗値を測定する。これにより、接続用導線が切れかかっているときには、その接続用導線を測定用電流で焼き切って無限大の抵抗値にすることにより、メーカからの出荷前に接続用導線の接続不良をいち早く検出することができる。
【０００４】
抵抗測定装置６１の具体的な回路構成としては、同図に示すように、測定電流の電流値を設定するための操作スイッチが配設された操作部３と、設定された電流値を測定対象抵抗２に供給するための各種制御や抵抗値測定処理を実行する制御部６２と、測定された抵抗値を表示する表示部５と、測定用電流の供給源であって所定の定電圧を出力するスイッチング電源部６３とを備えるほか、基準電圧発生回路６４、ドライバ回路６５、ＳＥＰＰ（Single-Ended-Push Pull）回路１０、除算回路６６、電流検出用の抵抗１１、差動増幅器６７，６８および電圧検出用プローブ１７ａ，１７ｂを備えている。また、ＳＥＰＰ回路１０は、２つのダイオード２１，２２および２つのトランジスタ２３，２４を備えて構成されている。
【０００５】
この抵抗測定装置６１では、まず、測定に先立ち、測定用電流を出力する出力端子２５とアース端子２６との間に測定対象抵抗２の両端をそれぞれ接続すると共に、電圧検出用プローブ１７ａ，１７ｂを測定対象抵抗２の両端にそれぞれ接続する。次いで、操作部３の操作スイッチによって測定用電流の電流値を設定する。これにより、制御部６２が、設定された電流値に応じた電圧の基準直流信号を基準電圧発生回路６４に出力し、基準電圧発生回路６４が、基準直流信号の電圧値に応じた電圧の基準正弦波信号をドライバ回路６５に出力する。一方、ドライバ回路６５は、基準正弦波信号を所定利得で増幅することによって制御信号を生成し、ダイオード２１，２２を介して制御信号をＳＥＰＰ回路１０の両トランジスタ２３，２４に出力する。これにより、両トランジスタ２３，２４が制御信号を電流増幅することにより生成した測定用電流を抵抗１１を介して測定対象抵抗２に供給する。
【０００６】
次いで、差動増幅器６７が、抵抗１１の両端電圧を差動増幅することによって測定用電流の電流値に対応する電流検出信号ＳI を生成して除算回路６６および制御部６２に出力する。一方、差動増幅器６８は、測定対象抵抗２の両端電圧を差動増幅することによって測定対象抵抗２の両端電圧に対応する電圧検出信号ＳV を生成して除算回路６６に出力する。除算回路６６は、電圧検出信号ＳV の電圧値を電流検出信号ＳI の電圧値で除算することにより、測定対象抵抗２の抵抗値に対応する抵抗値対応電圧ＶR を制御部６２に出力する。制御部６２は、除算回路６６から出力された電流検出信号ＳI の電圧値に基づいて基準直流信号の電圧値を補正することにより、電流検出信号ＳI の電圧値を所定の定電圧に維持する。このフィードバック制御により、抵抗１１を導通する測定用電流の電流値は設定された電流値に維持される。また、制御部６２は、入力した抵抗値対応電圧ＶR に基づいて抵抗値を演算し、演算した抵抗値を表示部５に表示させる。このように、この抵抗測定装置６１では、測定対象抵抗２の抵抗値を測定することができると共に、設定された測定電流を測定対象抵抗２に所定時間継続して流すことにより、洗濯機の接続用導線が切れかかっているときには、その接続用導線を断線させることにより、いち早く不良を検出することができる。
【０００７】
【発明が解決しようとする課題】
ところが、この従来の抵抗測定装置６１には、以下の問題点がある。
すなわち、スイッチング電源部６３から出力されてトランジスタ２３のコレクタに供給される電源電圧、トランジスタ２４のエミッタに供給される電源電圧、測定用電流の設定電流値、抵抗１１の抵抗値、および測定対象抵抗２の抵抗値を、それぞれ＋ＶCC、−ＶCC、i 、ＲS 、およびＲX とすれば、ＳＥＰＰ回路１０を構成する各トランジスタ２３，２４のコレクタ−エミッタ電圧ＶCEは、下記の（１）式で表され、各トランジスタ２３，２４の電力損失ＰC は、下記の（２）式で表される。
ＶCE＝ＶCC−ｉ×（ＲS ＋ＲX ）・・・・・・・・・・（１）式
ＰC ＝ＶCE×ｉ
＝ＶCC×ｉ−ＲS ×ｉ２−ＲX ×ｉ２
＝−（ＲS ＋ＲX ）×（ｉ−ＶCC／（２×（ＲS ＋ＲX ）））２
＋ＶCC２／（４×（ＲS ＋ＲX ））・・・・・・（２）式
一方、電源電圧±ＶCCは、下記の（３）式の条件を満たすように予め設定されている。
ＶCC≧２０．５×ｉmax ×（ＲX ＋ＲS ）＋ＶCE・・・（３）式
したがって、上記の（２）式によれば、２つのトランジスタ２３，２４の電力損失ＰC は、設定電流値ｉが値（ＶCC／（２×（ＲS ＋ＲX ）））のときに最大となり、その値以下のときには、設定電流値ｉが大きいほど増加する。また、電力損失ＰC は、測定対象抵抗２の抵抗値が小さいほど増加する。なお、設定電流値ｉが上記した値を超える場合には、測定用電流に歪みが発生するため、上記した値（ＶCC／（２×（ＲS ＋ＲX ）））を装置の測定電流に対する許容最大電流値として設定している。このため、この抵抗測定装置６１には、設定電流値ｉが許容最大電流値には達していないが、ある程度大電流のとき、および測定対象抵抗２が低抵抗値のときに、本来必要とされる電圧以上の電源電圧が供給されているために、トランジスタ２３，２４の電力損失ＰC が必要以上に大きくなる結果、電力利用効率が低下するという問題点がある。
【０００８】
本発明は、かかる問題点に鑑みてなされたものであり、電力利用効率の向上を図ることが可能な抵抗測定装置を提供することを主目的とする。
【０００９】
【課題を解決するための手段】
上記目的を達成すべく請求項１記載の抵抗測定装置は、測定用電源を出力する電源部と、測定用電源を電源電力として入力すると共に入力した制御信号を所定利得で電流増幅することにより測定用電源に基づいて生成した測定用電流を測定対象抵抗体に供給する電流ドライバ素子と、測定用電流の電流値を検出するための電流検出手段と、測定対象抵抗体の両端電圧を検出する電圧検出手段とを備え、電流検出部によって検出された電流値および電圧検出手段によって検出された両端電圧に基づいて測定対象抵抗体の抵抗値を測定する抵抗測定装置において、電流検出手段によって検出された検出電流信号の歪みを検出する歪み検出部と、歪み検出部によって検出された歪みが所定量よりも低下しているときに測定用電源の電圧を低下させ、かつ検出された歪みが所定量を超えたときに測定用電源の電圧を上昇させる電源電圧制御手段とを備えていることを特徴とする。
なお、この場合、測定用電源の電圧を低下させる際に基準となる所定量の歪み、および測定用電源の電圧を上昇させる際に基準となる所定量の歪みは、同一量であってもよいし、異なる量であってもよい。
【００１０】
測定用電流の電流値や測定対象抵抗体の抵抗値ＲX に応じて測定用電源の電源電圧を低下させる構成にすれば、電流ドライバ素子の電力損失ＰC を低下させることができるが、電源電圧を低下させ過ぎると、測定対象抵抗体に供給する測定用電流の電流波形に歪みが発生することがある。この歪みが発生すること自体が特に問題になることはないが、設定電流値に対して誤差が発生することがある。この場合、設定電流値ｉが低電流のときや、測定対象抵抗体の抵抗値ＲX が小さいときには、測定用電流に歪みが発生しにくい反面、設定電流値が大電流のときや、測定対象抵抗体の抵抗値ＲX が大きいときには、測定用電流に歪みが発生し易い。このため、この抵抗測定装置では、測定用電流に所定量の歪みが発生していない状態では、電流ドライバ素子に供給されている測定用電源の電源電圧に余裕があるとして、電源電圧制御手段が、測定用電源の電圧を低下させる。一方、歪み検出部が測定用電流に所定量の歪みを検出したときは、電流ドライバ素子に供給されている測定用電源の電源電圧に余裕がないとして、電源電圧制御手段が、測定用電源の電圧を上昇させる。このような電源電圧制御手段によるフィードバック制御により、測定対象抵抗体に対して予め定めた電流値で、しかも低歪みの測定用電流を供給することが可能になると共に、電流ドライバ素子における電力損失を低減することが可能となる。
【００１１】
請求項２記載の抵抗測定装置は、請求項１記載の抵抗測定装置において、歪み検出部は、制御信号または制御信号を生成するための基準信号と検出電圧信号とを差動増幅する差動増幅回路と、差動増幅回路の差動増幅信号を全波整流した全波整流信号を歪みとして検出する整流回路とを備えていることを特徴とする。
【００１２】
この抵抗測定装置では、差動増幅回路が、制御信号または基準信号と、電圧検出手段によって検出された検出電圧信号とを差動増幅することにより、測定用電流の歪みを検出する。次いで、整流回路が、差動増幅回路の差動増幅信号を全波整流した全波整流信号を歪みとして検出する。一方、電源電圧制御手段は、整流回路によって検出された歪みに基づいて電源電圧を制御する。このように、装置内部で用いられている制御信号などを歪み検出用の基準信号源として用いることにより、歪み検出部を簡易に構成することが可能となる。
【００１３】
【発明の実施の形態】
以下、添付図面を参照して、本発明に係る抵抗測定装置の好適な実施の形態について説明する。なお、出願人が既に開発している抵抗測定装置６１と同一の構成要素については同一の符号を付して重複した説明を省略する。
【００１４】
最初に、図１に示す抵抗測定装置１の構成、および動作の概要について説明する。
【００１５】
同図に示すように、抵抗測定装置１は、測定対象抵抗２に供給する測定用電流の電流値を設定する操作スイッチを備えた操作部３と、測定対象抵抗２の抵抗値を測定する制御部４と、制御部４から出力される表示データＤD に基づいて抵抗値を表示する表示部５と、スイッチング電源部６と、基準電圧発生回路７と、乗算回路８と、差動増幅器９と、ＳＥＰＰ回路１０と、抵抗１１と、差動増幅器１２，１４と、実効値変換回路１３，１５と、歪み検出部１６と、プローブ１７ａ，１７ｂとを備えて構成されている。また、ＳＥＰＰ回路１０は、２つのダイオード２１，２２、および本発明における電流ドライバ素子に相当する２つのトランジスタ２３，２４を備えて構成されている。
【００１６】
この抵抗測定装置１は、抵抗１１を介して測定用電流を測定対象抵抗２に供給し、抵抗１１によって検出された測定用電流の電流値と、検出された測定対象抵抗２の両端における電圧値とに基づいて抵抗測定を行う。したがって、抵抗測定装置１の抵抗値測定動作自体は、従来の抵抗測定装置６１における抵抗値測定動作と共通する。一方、抵抗測定装置１は、抵抗値測定に先立って、または測定中において、スイッチング電源部６から出力される電源電圧を可変することによりトランジスタ２３，２４の電力損失を低減する点が従来の抵抗測定装置６１とは相違している。以下に、抵抗測定装置１の各構成要素について詳述する。
【００１７】
最初に、測定用電流の電流値および測定対象抵抗２の両端電圧の電圧値を検出するための構成について説明する。抵抗１１および差動増幅器１２は、本発明における電流検出手段に相当する。ここで、差動増幅器１２は、ＳＥＰＰ回路１０によって測定対象抵抗２に測定用電流が供給された際に抵抗１１の両端に発生する両端電圧を差動増幅することにより、抵抗１１を流れる測定用電流の電流値を検出し、検出した電流検出信号ＳI1を実効値変換回路１３に出力する。実効値変換回路１３は、瞬時値である電流検出信号ＳI1を実効値電圧信号ＳIEに変換して制御部４に出力する。差動増幅器１４は、本発明における電圧検出手段に相当し、測定用電流が測定対象抵抗２を流れる際に測定対象抵抗２の両端に発生する両端電圧を入力端子２７，２８を介して入力し、その両端電圧に基づいて検出した電圧検出信号ＳV を実効値変換回路１５に出力する。実効値変換回路１５は、瞬時値である電圧検出信号ＳV を実効値電圧信号ＳVEに変換して制御部４に出力する。
【００１８】
次に、測定用電流を供給するための構成について説明する。スイッチング電源部６は、本発明における電源部に相当し、制御部４から出力される電圧制御信号ＳCVに従って、出力する電源電圧±ＶCCの電圧値（本発明における測定用電源の電圧に相当する）を変化させる。基準電圧発生回路７は、所定定電圧の正弦波信号である基準信号Ｓref を乗算回路８に出力する。また、乗算回路８は、基準信号Ｓref と、制御部４から出力され測定用電流の電流値を設定するための可変乗数信号ＳM とを互いに乗算することにより制御信号ＳC1を生成し、生成した制御信号ＳC1を差動増幅器９に出力する。差動増幅器９は、乗算回路８から出力された制御信号ＳC1と電流検出信号ＳI1とを差動増幅して新たな制御信号ＳC2を生成し、制御信号ＳC2をＳＥＰＰ回路１０に出力することにより、抵抗１１を流れる測定用電流の電流値が一定になるようにフィードバック制御する。ＳＥＰＰ回路１０は、入力した制御信号ＳC2を電流増幅することにより、スイッチング電源部６によって供給される電源に基づいて測定用電流を生成する。
【００１９】
次に、ＳＥＰＰ回路１０の電源電圧を可変するための構成および抵抗値を測定するための構成について説明する。制御部４は、本発明における電源電圧制御手段に相当し、上記した可変乗数信号ＳM を出力すると共に、歪み検出部１６から出力される歪み検出信号ＳD に基づいて電圧制御信号ＳCVを出力することにより、スイッチング電源部６から出力される電源電圧±ＶCCの電圧値を制御する。また、制御部４は、実効値変換回路１５から出力される実効値電圧信号ＳVEの電圧値を、実効値変換回路１３から出力される実効値電流信号ＳIEの電圧値で除算することにより測定対象抵抗２の抵抗値を演算し、演算した抵抗値を表示するための表示データＤD を表示部５に出力する。
【００２０】
歪み検出部１６は、制御信号ＳC1に対する電流検出信号ＳI1の歪みを検出する。具体的には、歪み検出部１６は、図２に示すように、演算増幅器３１および抵抗３２〜３４から構成される増幅回路３５と、演算増幅器３６および抵抗３７，３８から構成される増幅回路３９と、本発明における整流回路に相当する全波整流回路４０とを備えて構成されている。この歪み検出部１６では、増幅回路３５が、制御信号ＳC1の電圧値とほぼ等しくなるように、電流検出信号ＳI1を予め定めた所定の利得で増幅し、図３（ａ）に示す増幅信号ＳI2を増幅回路３９のマイナス入力部に出力する。一方、増幅回路３９は、増幅信号ＳI2と制御信号ＳC1とを加算することにより、同図（ｂ）に示すように、両者の誤差信号ＳE を生成する。また、全波整流回路４０は、誤差信号ＳE を全波整流することにより、同図（ｃ）に示すように、歪み検出信号ＳD を生成する。この場合、制御信号ＳC1が正弦波信号であるため、歪み検出信号ＳD は、制御信号ＳC1に対する増幅信号ＳI2の歪み量に相当する（電流制御信号ＳI1の歪み量にも相当する）。これにより、歪み検出部１６は、抵抗１１を流れる測定用電流の歪みを検出する。
【００２１】
次に、抵抗測定装置１における動作について、図４に示すフローチャートを参照して説明する。
【００２２】
まず、電源が投入されると、制御部４は、操作部３によって測定用電流の電流値が設定されたか否かを判別する（ステップ５１）。電流値が設定されていると判別したときは、制御部４は、設定値に応じた値の可変乗数信号ＳM を乗算回路８に出力することにより、測定用電流の電流値設定を実行する（ステップ５２）。これにより、乗算回路８は、可変乗数信号ＳM と基準信号Ｓref とを互いに乗算することにより生成した制御信号ＳC1を差動増幅器９に出力する。一方、ＳＥＰＰ回路１０は、差動増幅器９から出力される制御信号ＳC2を電流増幅し、増幅した測定用電流を、抵抗１１を介して測定対象抵抗２に供給する。この際に、差動増幅器９は、抵抗１１および差動増幅器１２によって検出された電流検出信号ＳI1と、制御信号ＳC1とを差動増幅することにより生成した制御信号ＳC2をＳＥＰＰ回路１０に出力することにより、抵抗１１を流れる測定用電流の電流値が設定値になるようにフィードバック制御する。
【００２３】
一方、歪み検出部１６は、電流検出信号ＳI1の歪みを検出し、検出した歪み検出信号ＳD を制御部４に出力する。次いで、制御部４は、歪み検出信号ＳD の電圧値を監視し、電流検出信号ＳI1に所定量の歪み（例えば、５％）が生じているか否かを判別する（ステップ５３）。所定量の歪みが生じていると判別したときは、制御部４は、電圧制御信号ＳCVの電圧値を高くすることにより、スイッチング電源部６から出力される電源電圧±ＶCCを上昇させる（ステップ５４）。一方、歪みが所定量以下であると判別したときには、制御部４は、測定用電流を供給する時間（例えば、１０秒）を設定する（ステップ５５）。なお、この供給時間の設定は１回の抵抗値測定において１回のみ行われる。次いで、制御部４は、設定時間が経過した否かを判別する（ステップ５６）。この場合、１０秒の供給時間を設定するのは、上記した家庭用洗濯機の接続用導線の抵抗値を検査する場合、切れかかっている接続用導線を焼き切るためには、この程度の時間を必要とするためであり、その時間は検査される機器の安全規格に準じて予め決められている。次いで、制御部４は、電圧制御信号ＳCVの電圧値を低くすることにより、スイッチング電源部６から出力される電源電圧±ＶCCを低下させる（ステップ５７）。
【００２４】
次に、制御部４は、ステップ５３に戻り、同様にして、歪み検出信号ＳD の電圧値を監視することにより、電流検出信号ＳI1に所定量の歪みが生じているか否かを判別し（ステップ５３）、判別結果に応じて電圧制御信号ＳCVの電圧値を上昇または低下させる（ステップ５４またはステップ５７）。次いで、測定用電流の供給時間が１０秒に達したと判別したときに、制御部４は、抵抗値の測定を開始する（ステップ５８）。
【００２５】
抵抗値測定では、制御部４は、実効値変換回路１５から出力される実効値電圧信号ＳVEの電圧値を、実効値変換回路１３から出力される実効値電流信号ＳIEの電圧値で除算することにより、測定対象抵抗２の抵抗値を演算する。次いで、制御部４は、演算した抵抗値に対応する表示データＤD を表示部５に出力することにより演算した抵抗値を表示させる。
【００２６】
なお、制御部４によってＳＥＰＰ回路１０の電源電圧±ＶCCが電圧制御されることにより、ＳＥＰＰ回路１０の各トランジスタ２３，２４において低減される電力損失ΔＰC は、下記の（４）式で表される。この場合、従来の抵抗測定装置６１のＳＥＰＰ回路１０に供給されている固定的な電源電圧、上記したステップ５６において電源電圧±ＶCCから低下させられた電圧、測定用電流の設定電流値、抵抗１１の抵抗値、および測定対象抵抗２の抵抗値を、それぞれ±ＶCC、ΔＶCC、ｉ、ＲS およびＲX とする。
ΔＰC ＝  （ＶCC×Ｉ−Ｉ２×（ＲS ＋ＲX ）
−（ＶCC−ΔＶCC）×Ｉ−Ｉ２×（ＲS ＋ＲX ））
＝ΔＶCC×Ｉ・・・・・・・・・・・・・・・・・・・（４）式
この（４）式は、ＳＥＰＰ回路１０の両トランジスタ２３，２４では、低下させた電圧ΔＶCCに測定用電流の電流値ｉを乗算した分の電力損失が低減していることを示している。したがって、抵抗測定装置１の電源利用効率を向上させることができる。
【００２７】
なお、本実施形態では、電流検出信号ＳI1の歪み量に応じてスイッチング電源部６の電源電圧±ＶCCを可変する例について説明したが、例えば、設定された測定用電流の電流値、または測定した測定対象抵抗２の抵抗値に基づいて、制御部４が電源電圧±ＶCCを自動的に可変するように構成してもよい。この場合、測定用電流の設定値または測定対象抵抗２の抵抗値に対応させた電源電圧±ＶCCの電圧値を、制御部４内または外部に設けた記憶手段としてのＲＯＭなどに予め記憶させておき、測定用電流が設定された際に、その設定電流値に対応させられて記憶している電圧になるように電源電圧±ＶCCの電圧値を制御してもよいし、実際の抵抗値測定に先立って測定対象抵抗２の抵抗値を仮に測定し、その際に、その抵抗値に対応させられて記憶している電圧になるように電源電圧±ＶCCの電圧値を制御してもよい。
【００２８】
また、本発明における電流ドライバ素子は、本実施形態に示したトランジスタ２３，２４に限らず、電界効果型トランジスタや、半導体素子を組み合わせた集積回路で構成してもよい。
【００２９】
【発明の効果】
以上のように、請求項１記載の抵抗測定装置によれば、電源電圧制御手段が、歪み検出部によって検出された歪みが所定量よりも低下しているときに測定用電源の電圧を低下させ、かつ検出された歪みが所定量を超えたときに測定用電源の電圧を上昇させることにより、測定対象抵抗体に対して予め定めた電流値で、しかも低歪みの測定用電流を供給することができると共に、電流ドライバ素子における電力損失を低減することができる。
【００３０】
さらに、請求項２記載の抵抗測定装置によれば、制御信号または制御信号を生成するための基準信号と検出電流信号とを差動増幅する差動増幅回路と、差動増幅回路の差動増幅信号を全波整流した全波整流信号を歪みとして検出する整流回路とで歪み検出部を構成したことにより、歪み検出部を簡易に構成することができる。
【図面の簡単な説明】
【図１】  本発明の実施の形態に係る抵抗測定装置の回路図である。
【図２】  本発明の実施の形態に係る抵抗測定装置における歪み検出部の回路図である。
【図３】  （ａ）は制御信号ＳC1、および増幅回路３５によって生成された増幅信号ＳI2の信号波形図、（ｂ）は増幅回路３９によって生成された誤差信号ＳE の信号波形図、（ｃ）は全波整流回路４０によって生成された歪み検出信号ＳD の信号波形図である。
【図４】  本発明の実施の形態に係る抵抗測定装置における測定処理を示すフローチャートである。
【図５】  出願人が既に開発した抵抗測定装置の回路図である。
【符号の説明】
１  抵抗測定装置
２  測定対象抵抗
４  制御部
６  スイッチング電源部
１０  ＳＥＰＰ回路
１１  抵抗
１２  差動増幅器
１４  差動増幅器
１６  歪み検出部
２３，２４  トランジスタ
３５，３６  増幅回路
４０  全波整流回路
【図１】
0003790342.tif 000002
【図２】
0003790342.tif 000003
【図３】
0003790342.tif 000004
【図４】
0003790342.tif 000005
【図５】
0003790342.tif 000006